(57)【要約】      （修正有）【課題】CoMP基地局からの参照信号に起因して生じる干渉を解消する。【解決手段】基地局の一つはCoMPユーザ機器にデータを送信するCoMPユーザ機器の関連基地局である。複数の基地局は、CoMPユーザ機器向けの複数のCoMP基地局を含んでいる。CoMPユーザ機器向けのCoMP基地局は、複数のリソースエレメント（RE）およびセル固有参照信号（CRS）リソースエレメント（RE）位置を有する物理リソースブロックを備えるサブフレームを含むCoMPダウンリンクデータを送信する。PDSCHビットレベルミューティングまたはパンクチャリング情報は、無線リソースマネジメント測定と複数のCoMP基地局から送られるサブフレームとに基づいて決定され、複数のCoMP基地局内からの強いCRS干渉送信を受け、かつビットレベルミューティングまたはビットレベルパンクチャリングの一方を受けるPDSCH REを特定する。【選択図】図１
2014107868.tif 000002
【特許請求の範囲】
【請求項１】
多地点協調（CoMP）送信を用いて干渉を抑制する通信システムであって、
CoMPユーザ機器と、
複数の基地局とを備えており、前記基地局の一つは、前記CoMPユーザ機器にデータを送信する前記CoMPユーザ機器の関連基地局であり、前記複数の基地局は、前記CoMPユーザ機器向けの複数のCoMP基地局を含んでおり、
前記CoMPユーザ機器は、前記CoMPユーザ機器の周囲のエリアにある前記関連基地局以外の一つ以上の他の基地局の各基地局に関して、受信参照信号（RS）強度についての無線リソースマネジメント（RRM）測定を行い、
前記CoMPユーザ機器向けの前記CoMP基地局は、複数のリソースエレメント（RE）およびセル固有参照信号（CRS）リソースエレメント（RE）位置を有する物理リソースブロックを備えるサブフレームを含むCoMPダウンリンクデータを送信し、
PDSCH（物理ダウンリンク共有チャネル）ビットレベルミューティングあるいはパンクチャリング情報は、前記RRM測定と、前記複数のCoMP基地局から送られる複数のREおよびCRS RE位置を有する物理リソースブロックを備える前記サブフレームとに基づいて、前記複数のCoMP基地局内からの強いCRS干渉送信を受け、（i）ミュートされない通常のREに割り当てられるビットの数よりも少ない数のビットを割り当てられ、ビットレベルミューティングされたデータが前記CoMPユーザ機器に転送されるビットレベルミューティングと、（ii）いくつかのビットに対応するビット対数尤度比（LLR）が前記関連基地局からの前記CoMPユーザ機器によって受信される前記データからパンクチャされ、あるいは破棄されるビットレベルパンクチャリングの一方を受けるPDSCH REを特定するように決定されることを特徴とする、通信システム。
【請求項２】
前記複数のCoMP基地局から送られる前記サブフレームの前記物理リソースブロックにおける前記CRE RE位置は、前記PDSCH REが複数のPDSCH REを一組以上含むように異なっており、各組の前記複数のPDSCH REは、前記ビットレベルミューティングまたはパンクチャリングの後かつ前記複数のCoMP基地局の前記サブフレームの結合前には、異なるRE位置に同じデータシンボルを有し、できあがる繰り返しPDSCH REは、前記複数のCoMP基地局の前記サブフレームの結合後には、同じ情報ビットを有し、
前記繰り返しPDSCH REからのビットについての前記ビットLLRが合計され、各組の前記繰り返しPDSCH REについての全体のビットLLRが得られることを特徴とする、請求項１に記載のシステム。
【請求項３】
前記ビットレベルミューティングについて、
前記関連基地局は、前記ビットレベルミューティングを受ける前記PDSCH REを特定し、通常のREに割り当てられるビットの数よりも少ない数のビットを有するようにミュートされる前記PDSCH REのミュートビット位置を決定し、前記複数のCoMP基地局は、前記PDSCH REの前記ミュートビット位置にダミービットを埋め込み、同時に、前記ビットレベルミューティングを受けたCoMPダウンリンクデータを前記CoMPユーザ機器に送信することを特徴とする、請求項１に記載のシステム。
【請求項４】
前記ビットレベルミューティングについて、
前記複数の各CoMP基地局は、ダミービットを前記ミュートビット位置に割り当てる前に、前記PDSCH REにおけるビットを含むビット列に対して符号化とレートマッチングとを行うように構成されており、
前記複数のCoMP基地局はそれぞれが、前記ダミービットを前記ミュートビット位置に割り当てた後かつ前記PDSCH REの前記ビットレベルミューティングを行ったデータを前記CoMPユーザ機器に転送する前に、各PDSCH REが一つの変調シンボルを収容するように前記ビット列に対して変調およびPDSCHリソースマッピングを行うように構成されていることを特徴とする、請求項３に記載のシステム。
【請求項５】
前記ビットレベルミューティングについて、
前記CoMPユーザ機器は、前記複数のCoMP基地局から前記CoMPダウンリンクデータを受信し、前記ダミービットを破棄し、残りのビットを用いてデータを取り出すことを特徴とする、請求項３に記載のシステム。
【請求項６】
前記ビットレベルパンクチャリングについて、
前記CoMPユーザ機器は、前記ビットレベルパンクチャリングを受ける前記PDSCH REを特定し、通常のREに割り当てられるビットの数よりも少ないビットの数を有するように除去すべきPDSCH REのパンクチャビットを決定することを特徴とする、請求項１に記載のシステム。
【請求項７】
前記ビットレベルパンクチャリングについて、
前記CoMP ユーザ機器は、前記複数のCoMP基地局からCoMPダウンリンクデータを受信し、前記パンクチャビットを除去し、残りのビットを用いてデータを取り出し、
前記パンクチャビットの除去は、前記PDSCH REから、同数のまたは同数ではないビットLLRを破棄することを含むことを特徴とする、請求項６に記載のシステム。
【請求項８】
多地点協調（CoMP）ユーザ機器と複数の基地局とを含む通信システムにおける基地局であって、前記基地局の一つは前記CoMPユーザ機器にデータを送信する前記CoMPユーザ機器の関連基地局であり、前記複数の基地局は前記CoMPユーザ機器向けの複数のCoMP基地局を含んでおり、
前記基地局が前記関連基地局である場合、前記関連基地局は、
前記CoMPユーザ機器の周囲のエリアにおける前記関連基地局以外の一つ以上の他の基地局の各基地局に関して、受信参照信号（RS)強度について、前記CoMPユーザ機器から無線リソースマネジメント（RRM）測定を受信するインタフェースと、
前記複数のCoMP基地局から、複数のリソースエレメント（RE）とセル固有参照信号（CRS）リソースエレメント（RE）位置とを有する物理リソースブロックを含むサブフレームの送信情報を受信するX2インタフェースと、
前記複数のCoMP基地局内からの強いCRS干渉送信を受け、ミュートされない通常のREに割り当てられるビットの数よりも少ない数のビットを割り当てられるビットレベルミューティングを受けるPDSCH REを、前記RRM測定と、前記複数のCoMP基地局から送られる複数のREおよびCRE RE位置を有する物理リソースブロックを備える前記サブフレームとに基づいて特定することと、ミュートされる前記PDSCH REのミュートビット位置を決定することを含む、PDSCH（物理ダウンリンク共有チャネル）ビットレベルミューティング情報を管理するコントローラとを備え、
前記基地局が前記複数のCoMP基地局の一つである場合、当該CoMP基地局は、
前記関連基地局から前記ビットレベルミューティング情報を受信するX2インタフェースと、
前記PDSCH REのミュートビット位置にダミービットを埋め込み、他のCoMP基地局と同時に、前記CoMPユーザ機器に前記ビットレベルミューティングを実行されたCoMPダウンリンクデータを送信するコントローラとを備えていることを特徴とする、基地局。
【請求項９】
前記複数のCoMP基地局から送られる前記サブフレームの前記物理リソースブロックにおける前記CRS RE位置は、前記PDSCH REが複数のPDSCH REを一組以上含むように異なっており、各組の前記複数のPDSCH REは、前記ビットレベルミューティングあるいはパンクチャリングの後かつ前記複数のCoMP基地局の前記サブフレームの結合前には、異なるRE位置に同じデータシンボルを有しており、できあがる繰り返しPDSCH REは前記複数のCoMP基地局の前記サブフレームの結合後に同じ情報ビットを有し、
前記繰り返しPDSCH REからのビットについてのビットLLRが合計され、各組における前記繰り返しPDSCH REについての全体のビットLLRが得られることを特徴とする、請求項８に記載の基地局。
【請求項１０】
前記基地局が前記関連基地局である場合、前記コントローラは、各PDSCH REのKビットのビットマップに従って、通常のREに割り当てられるビットの数よりも少ない数のビットをPDSCH REに割り当て、かつ各PDSCH REにおいてミュートされる一つ以上のビット位置を特定する前記Kビットのビットマップを決定するように構成されており、PDSCH REに割り当てられるビットの数は、通常のREに割り当てられるビットの数よりも、前記PDSCH REについてミュートされるビット位置の数に等しい数だけ少ないことを特徴とする、請求項８に記載の基地局。
【請求項１１】
前記基地局が前記CoMP基地局の一つである場合、当該CoMP基地局は、前記ミュートビット位置にダミービットを割り当てる前に、前記PDSCH REにおいてビットを含むビット列に対して符号化およびレートマッチングを行うように構成され、前記ミュートビット位置に前記ダミービットを割り当てた後かつ前記CoMPユーザ機器に前記PDSCH REの前記ビットレベルミューティングを受けたデータを転送する前に、各PDSCH REが変調されたシンボル一つを収容するように前記ビット列に対して変調とPDSCHリソースマッピングとを行うように構成されていることを特徴とする、請求項８に記載の基地局。
【請求項１２】
多地点協調（CoMP）ユーザ機器と複数の基地局とを含む通信システムにおけるCoMPユーザ機器であって、前記基地局の一つは前記CoMPユーザ機器にデータを送信する前記CoMPユーザ機器の関連基地局であり、前記複数の基地局は、前記CoMPユーザ機器向けの複数のCoMP基地局を含んでおり、前記CoMPユーザ機器は、
前記ユーザ機器の周囲のエリアにある前記関連基地局以外の一つ以上の他の基地局の各基地局に関して、受信参照信号（RS）強度についての無線リソースマネジメント（RRM）測定を行うRRMモジュールと、
前記CoMPユーザ機器向けの前記複数のCoMP基地局から、複数のリソースエレメント（RE）およびセル固有参照信号（CRS）リソースエレメント（RE）位置を有する物理リソースブロックを備えたサブフレームを含むCoMPダウンリンクデータを受信するインタフェースと
を備えており、
PDSCH（物理ダウンリンク共有チャネル）ビットレベルミューティングあるいはパンクチャリング情報は、前記RRM測定と、前記複数のCoMP基地局から送られる複数のREおよびCRS RE位置を有する物理リソースブロックを備える前記サブフレームとに基づいて、前記複数のCoMP基地局内からの強いCRS干渉送信を受け、（i）ミュートされない通常のREに割り当てられるビットの数よりも少ない数のビットを割り当てられ、ビットレベルミューティングを受けたデータが前記CoMPユーザ機器に転送されるビットレベルミューティングと、（ii）いくつかのビットに対応するビット対数尤度比（LLR）が前記関連基地局からの前記CoMPユーザ機器によって受信されるデータからパンクチャあるいは破棄されるビットレベルパンクチャリングの一方を受けるPDSCH REを特定するように決定され、
前記ビットレベルミューティングが用いられる場合には、前記CoMPユーザ機器の前記インタフェースは、前記関連基地局から、ビットレベルミューティングを受ける前記PDSCH REと、ミュートされない通常のREに割り当てられるビットの数より少ない数のビットの前記PDSCH REへの割り当てとを含むビットレベルミューティング情報を受信し、
前記ビットレベルパンクチャリングが用いられる場合には、前記CoMPユーザ機器はさらに、ビットレベルパンクチャリングを受ける前記PDSCH REを含むビットレベルパンクチャリング情報を決定するビットレベルPDSCHパンクチャリングモジュールを備えていることを特徴とする、CoMPユーザ機器。
【請求項１３】
前記ビットレベルミューティングが用いられる場合、
前記ビットレベルミューティング情報は、通常のREに割り当てられるビットの数よりも少ない数のビットを前記PDSCH REに割り当てる際に用いられる、各PDSCH REについてのｋビットビットマップを含んでおり、
前記ｋビットビットマップは、各PDSCH REでミュートされる一つ以上のビット位置を特定し、PDSCH REに割り当てられるビットの数は、通常のREに割り当てられるビットの数よりも、前記PDSCH REについてミュートされるビット位置の数に等しい数だけ少ないことを特徴とする、請求項１２に記載のユーザ機器。
【請求項１４】
前記ビットレベルミューティングが用いられる場合、
前記ダミービットは、前記複数のCoMP基地局から前記インタフェースを介して前記CoMPユーザ機器によって受信される前記PDSCH REの前記ビットレベルミューティングを受けたデータにおける各PDSCH REの前記ミュートビット位置に付加され、
前記CoMPユーザ機器は、前記関連基地局から受信された前記ビットレベルミューティング情報に基づいて前記ダミービットを除去するベースバンドプロセッサを備えていることを特徴とする、請求項１３に記載のユーザ機器。
【請求項１５】
前記ビットレベルミューティングが用いられる場合、
前記受信されたデータはPDSCH REを含んでおり、各PDSCH REは変調シンボル一つを収容し、
前記ベースバンドプロセッサは、前記ダミービットを除去する前に、前記受信されたPDSCH REを変調されたシンボルストリームにデマップし、かつ前記変調されたシンボルストリームをビット列に復調するように構成されており、
前記ベースバンドプロセッサは、前記ダミービットを前記ビット列から除去した後に、前記ビット列に対してレートデマッチングおよび復号を行うように構成されていることを特徴とする、請求項１２に記載のCoMPユーザ機器。
【発明の詳細な説明】
【技術分野】
【０００１】
本発明は概して通信システムに関し、特にLTE（ロングタームエボルーション）CoMP（多地点協調）送信におけるPDSCH（物理ダウンリンク共有チャネル）へのダウンリンク参照信号干渉の取扱方法および装置に関する。
【背景技術】
【０００２】
ロングタームエボリューション―アドバンスト（LTE-A）ネットワークのような４Gセルラーネットワークでは、単位面積あたりのサービスエリアおよびスペクトル効率を向上させるためにマクロ基地局（BS）がピコBSと共存することが期待されている。また、二つ以上のマクロおよび／またはピコBSが、セルエッジ上のユーザ機器（UE）に多地点協調（CoMP）送信を行って、干渉の影響を軽減してもよい。UEがいくつかのマクロおよびピコBSからの信号を受信することができるこのような異種的展開では、複数のBSがCoMP送信を行うときでさえも、参照信号から生じる干渉が大きな問題である。
【発明の概要】
【発明が解決しようとする課題】
【０００３】
既存のネットワークとは異なり、LTE-Aネットワークは、CoMP送信を介してセルエッジUE上での隣接セル干渉の影響を減らすことができる。これには、セルエッジUEへの同一チャネル干渉（潜在的なCRS干渉を除く）を解消するように複数の隣接するBSの協調が必要となる。ジョイント送信（JT）を含むいくつかのBS協調方法がLTE-Aで規定されている。JTでは、二つ以上の隣接するBS（マクロまたはピコ）が同時にUEに向けて送信し、結果として、スループットを向上させる受信データストリームのSNRが向上する。しかしながら、CRS REからの干渉は依然残る。
【課題を解決するための手段】
【０００４】
本発明の例示的な実施形態は、CoMP方式用の新しい干渉抑制方式を提供し、CoMP BSからの参照信号に起因して生じる干渉を解消する。提案される方法は、ネットワークのセル平均スループットパフォーマンスおよびセルエッジスループットパフォーマンスを向上させると期待されている。
【０００５】
下り送信時、UEには、一つ以上の協調BSによって一組の物理リソースブロック（PRB）が割り当てられる。これらのPRBは、いくつかのリソースエレメント（RE）からなり、これらのリソースエレメントのいくつかは協調または干渉する隣接BSからの参照信号から生じる干渉によって毀損されることがある。本発明は、UEで受信される影響されたREそれぞれについて干渉抑制ステップを踏むことによって、こうした同一チャネル干渉の有害な影響を軽減する。
【０００６】
ジョイント送信機（Tx）受信機（Rx）処理を含む一実施形態では、UEは隣接BSからの干渉計測レポートをBSに通知する。BSは、互いのCRS REに重畳する可能性のある異なるCoMP BSからのPDSCH REについてのビットレベルミュートパターンを決定する。BSは、UEおよび参加中のCoMP BSに、このビットレベルミュートパターンを通知する。CoMP BSは、ミュートされたビットについてダミービットを埋め込むことで、ビットレベルミュートパターンを用いたPDSCH REマッピングを行う。データを受信すると、CoMP UEは、CRS干渉キャンセルを行う（任意選択のステップ）。その後、CoMP UEはダミービットを破棄し、残りのビットを用いて送信データを取り出す。
【０００７】
受信処理のみを含む他の実施形態では、UEは干渉測定を行って、ビットレベルパンクチャリングパターンを決定する。データを受信すると、CoMP UEはCRS干渉キャンセルを行う（任意選択のステップ）。その後、CoMP UEは、ビットレベルパンクチャリングパターンにより、CRS干渉に影響されるPDSCH REからビットをパンクチャして、残りのビットを用いて送信データを取り出す。
【０００８】
本発明の一態様によると、CoMP送信を用いて干渉を抑制する通信システムは、CoMPユーザ機器と、複数の基地局とを備えており、基地局の一つは、CoMPユーザ機器にデータを送信するCoMPユーザ機器の関連基地局であり、複数の基地局は、CoMPユーザ機器向けの複数のCoMP基地局を含んでいる。CoMPユーザ機器は、CoMPユーザ機器の周囲のエリアにある関連基地局以外の一つ以上の他の基地局の各基地局に関して、受信参照信号（RS）強度についての無線リソースマネジメント（RRM）測定を行う。CoMPユーザ機器向けのCoMP基地局は、複数のリソースエレメント（RE）およびセル固有参照信号（CRS）リソースエレメント（RE）位置を有する物理リソースブロックを備えるサブフレームを含むCoMPダウンリンクデータを送信する。PDSCHビットレベルミューティングあるいはパンクチャリング情報は、RRM測定と、複数のCoMP基地局から送られる複数のREおよびCRS RE位置を有する物理リソースブロックを含むサブフレームとに基づいて、複数のCoMP基地局内からの強いCRS干渉送信を受け、（i）ミュートされない通常のREに割り当てられるビットの数よりも少ない数のビットが割り当てられ、ビットレベルミューティングをされたデータがCoMPユーザ機器に転送されるビットレベルミューティングと、（ii）いくつかのビットに対応するビット対数尤度比（LLR）が、関連基地局からのCoMPユーザ機器によって受信されるデータからパンクチャされ、あるいは破棄されるビットレベルパンクチャリングの一方を受けることになるPDSCH REを特定するように決定される。
【０００９】
いくつかの実施形態では、複数のCoMP基地局から送られるサブフレームの物理リソースブロックにおけるCRS RE位置は、PDSCH REが複数のPDSCH REを一組以上含むように異なっており、各組の複数のPDSCH REは、ビットレベルミューティングまたはパンクチャリングの後かつ複数のCoMP基地局のサブフレームの結合前には、異なるRE位置で同じデータシンボルを有し、複数のCoMP基地局のサブフレームの結合後には、できあがる繰り返しPDSCH REが同じ情報ビットを有する。繰り返しPDSCH REからのビットのビットLLRが合計され、各組の繰り返しPDSCH REについての全体のビットLLRが得られる。
【００１０】
特定の実施形態では、ビットレベルミューティングについて、関連基地局は、ビットレベルミューティングを受けるPDSCH REを特定し、通常のREに割り当てられるビットの数よりも少ない数のビットを有するようにミュートされるPDSCH REのミュートビット位置を決定する。複数のCoMP基地局は、PDSCH REのミュートビット位置にダミービットを埋め込み、同時に、ビットレベルミューティングされたCoMPダウンリンクデータをCoMPユーザ機器に送信する。複数のCoMP基地局はそれぞれが、ダミービットをミュートビット位置に割り当てる前に、PDSCH REのビットを含むビット列に対して符号化とレートマッチングとを行うように構成されている。複数のCoMP基地局はそれぞれが、ダミービットをミュートビット位置に割り当てた後かつPDSCH REのビットレベルミューティングされたデータをCoMPユーザ機器に転送する前に、各PDSCH REが一つの変調されたシンボルを収容するようにビット列に対して変調およびPDSCHリソースマッピングを行うように構成されている。CoMPユーザ機器は、複数のCoMP基地局からCoMPダウンリンクデータを受信し、ダミービットを破棄し、残りのビットを用いてデータを取り出す。
【００１１】
いくつかの実施形態では、ビットレベルパンクチャリングについて、CoMPユーザ機器は、ビットレベルパンクチャリングを受けるPDSCH REを特定し、通常のREに割り当てられるビットの数よりも少ない数のビットを有するように除去すべきPDSCH REのパンクチャビットを決定する。CoMPユーザ機器は、複数のCoMP基地局からCoMPダウンリンクデータを受信し、パンクチャビットを除去し、残りのビットを用いてデータを取り出す。パンクチャビットの除去は、PDSCH REから、同数のまたは同数ではないビットLLRを破棄することを含む。
【００１２】
発明の他の態様は、CoMPユーザ機器と複数の基地局とを含む通信システムにおける基地局に関連する。基地局の一つは、CoMPユーザ機器にデータを送信するCoMPユーザ機器の関連基地局であり、複数の基地局はCoMPユーザ機器向けの複数のCoMP基地局を含む。その基地局が関連基地局である場合、関連基地局は、CoMPユーザ機器の周囲におけるエリアの当該関連基地局以外の一つ以上の他の基地局の各基地局に関して、受信参照信号（RS）強度について、CoMPユーザ機器から無線リソースマネジメント（RRM）測定を受信するインタフェースと、複数のCoMP基地局から、複数のリソースエレメント（RE）とセル固有参照信号（CRS）リソースエレメント（RE）位置とを有する物理リソースブロックを含むサブフレームの送信情報を受信するX2インタフェースと、複数のCoMP基地局内からの強いCRS干渉送信を受け、ミュートされない通常のREに割り当てられるビットの数より少ない数のビットを割り当てられるビットレベルミューティングを受けるPDSCH REを、RRM測定と複数のCoMP基地局から送られる複数のREおよびCRS RE位置を有する物理リソースブロックを含むサブフレームとに基づいて特定することと、ミュートされるPDSCH REのミュートビット位置を決定することを含めて、PDSCH（物理ダウンリンク共有チャネル）ビットレベルミューティング情報を管理するコントローラとを備えている。その基地局が複数のCoMP基地局の一つである場合、そのCoMP基地局は、関連基地局からビットレベルミューティング情報を受信するX2インタフェースと、PDSCH REのミュートビット位置にダミービットを埋め込み、他のCoMP基地局と同時に、CoMPユーザ機器にビットレベルミューティングを実行されたCoMPダウンリンクデータを送信するコントローラとを備えている。
【００１３】
いくつかの実施形態では、その基地局が関連基地局である場合、コントローラは、各PDSCH REのKビットのビットマップに従って、通常のREに割り当てられるビットの数よりも少ない数のビットをPDSCH REに割り当て、かつ各PDSCH REにおいてミュートされる一つ以上のビット位置を特定するKビットのビットマップを決定するように構成される。PDSCH REに割り当てられるビットの数は、通常のREに割り当てられるビットの数よりも、PDSCH REについてミュートされるビット位置の数に等しい数だけ少ない。
【００１４】
特定の実施形態では、その基地局がCoMP基地局の一つである場合、そのCoMP基地局は、ミュートビット位置にダミービットを割り当てる前に、PDSCH REにおいてビットを含むビット列に対して符号化およびレートマッチングを行うように構成され、ミュートビット位置にダミービットを割り当てた後かつCoMPユーザ機器にPDSCH REのビットレベルミューティングを受けたデータを転送する前に、各PDSCH REが変調されたシンボル一つを含むようにビット列に対して変調およびPDSCHリソースマッピングを行うように構成されている。
【００１５】
本発明の他の態様は、CoMPユーザ機器と複数の基地局とを含む通信システムにおけるCoMPユーザ機器に関する。基地局の一つは、CoMPユーザ機器にデータを送信するCoMPユーザ機器の関連基地局であり、複数の基地局はCoMPユーザ機器向けの複数のCoMP基地局を含んでいる。CoMPユーザ機器は、当該ユーザ機器の周囲のエリアにある関連基地局以外の一つ以上の他の基地局の各基地局に関して、受信参照信号（RS）強度についての無線リソースマネジメント（RRM）測定を行うRRMモジュールと、CoMPユーザ機器向けの複数のCoMP基地局から、複数のリソースエレメント（RE）とセル固有参照信号（CRS）リソースエレメント（RE）位置とを有する物理リソースブロックを備えたサブフレームを含むCoMPダウンリンクデータを受信するインタフェースとを備えている。PDSCH（物理ダウンリンク共有チャネル）ビットレベルミューティングまたはパンクチャリング情報は、RRM測定と、複数のCoMP基地局から送られる複数のREおよびCRS RE位置を有する物理リソースブロックを含むサブフレームとに基づいて、複数のCoMP基地局内からの強いCRS干渉送信を受け、（i）ミュートされない通常のREに割り当てられるビットの数よりも少ない数のビットを割り当てられ、ビットレベルミューティングを受けたデータがCoMPユーザ機器に転送されるビットレベルミューティングと、（ii）いくつかのビットに対応するビット対数尤度比（LLR）が関連基地局からのCoMPユーザ機器によって受信されるデータからパンクチャあるいは破棄されるビットレベルパンクチャリングの一方を受けるPDSCH REを特定するように決定される。ビットレベルミューティングが用いられる場合には、CoMPユーザ機器のインタフェースは、関連基地局から、ビットレベルミューティングを受けるPDSCH REと、ミュートされない通常のREに割り当てられるビットの数よりも少ない数のビットのPDSCH REへの割り当てとを含むビットレベルミューティング情報を受信する。ビットレベルパンクチャリングが用いられる場合には、CoMPユーザ機器は、ビットレベルパンクチャリングを受けるPDSCH REを含むビットレベルパンクチャリング情報を決定するビットレベルPDSCHパンクチャリングモジュールをさらに備えている。
【００１６】
いくつかの実施形態では、ビットレベルミューティングが用いられる場合、ビットレベルミューティング情報は、通常のREに割り当てられるビットの数よりも少ない数のビットをPDSCH REに割り当てる際に用いられる、各PDSCH REについてのKビットのビットマップを含んでいる。そのKビットのビットマップは、各PDSCH REでミュートされる一つ以上のビット位置を特定する。PDSCH REに割り当てられるビットの数は、通常のREに割り当てられるビットの数よりも、PDSCH REについてミュートされるビット位置の数に等しい数だけ少ない。ダミービットは、複数のCoMP基地局からインタフェースを介してCoMPユーザ機器に受信されるPDSCH REのビットレベルミューティングを受けたデータにおける、各PDSCH REのミュートビット位置に付加される。CoMPユーザ機器は、関連基地局から受信するビットレベルミューティング情報に基づいてダミービットを除去するベースバンドプロセッサを備えている。
【００１７】
いくつかの実施形態では、ビットレベルミューティングが用いられる場合、受信されたデータはPDSCH REを含んでおり、各PDSCH REは変調されたシンボル一つを収容している。ベースバンドプロセッサは、ダミービットを除去する前に、受信されたPDSCH REを変調されたシンボルストリームにデマップし、その変調されたシンボルストリームをビット列に復調するように構成されている。ベースバンドプロセッサは、ダミービットをビット列から除去した後に、ビット列に対してレートデマッチングおよび復号を行うように構成されている。
【００１８】
いくつかの実施形態では、ビットレベルパンクチャリングが用いられる場合、ビットレベルPDSCHパンクチャリングモジュールは、通常のREに割り当てられるビットの数よりも少ない数のビットをPDSCH REに割り当てるのに用いられる各PDSCH RE用のKビットのビットマップを含むビットレベルPDSCHパンクチャリング情報を管理する。Kビットのビットマップは、各PDSCH REにおいてパンクチャされる一つ以上のビット位置を特定する。PDSCH REに割り当てられるビットの数は、通常のREに割り当てられるビットの数よりもPDSCH REについてパンクチャされるビット位置の数と等しい数だけ少ない。CoMPユーザ機器はさらに、受信されたデータにおいて各PDSCH REのパンクチャビット位置でパンクチャビットを除去するベースバンドプロセッサを備えている。
【００１９】
特定の実施形態では、PDSCH RE全てが同数のパンクチャビットを有している場合、ベースバンドプロセッサは、PDSCH REから同数のパンクチャビットを除去するように構成されるが、それにはPDSCH REから同数のビットLLRを破棄することが含まれる。PDSCH REが異なる数のパンクチャビットを有する場合、ベースバンドプロセッサは、PDSCH REから異なる数のパンクチャビットを除去するように構成されるが、それにはPDSCH REから同数ではないビットLLRを破棄することが含まれる。各PDSCH REは一つの変調されたモジュールを収容している。ベースバンドプロセッサは、パンクチャビットを除去する前に、受信されたPDSCH REを変調されたシンボルストリームにデマップし、変調されたシンボルストリームをビット列に復調するように構成される。ベースバンドプロセッサは、ビット列からパンクチャビットを除去した後に、ビット列に対してレートデマッチングおよび復号を行うように構成されている。CoMPユーザ機器はさらに、ベースバンドプロセッサが受信されたPDSCH REを変調されたシンボルストリームにデマップする前に、受信されたデータに対してCRS干渉キャンセルを行うCRS干渉キャンセルモジュールを備えている。
【００２０】
本発明のこれらの、および他の特徴ならびに効果は、具体的な実施形態の以下の詳細な説明を考慮して当業者に明らかになるであろう。
【図面の簡単な説明】
【００２１】
【図１】ジョイント送信（JT）多地点協調（CoMP）送信動作を含むヘテロジニアスネットワークの一例を示す。
【図２】JT CoMP受信時のCRS干渉の一例を示す。
【図３】CoMP UEの関連BSの一例を示すブロック図である。
【図４】CoMP UEの一例を示すブロック図である。
【図５】CoMP UE、関連BS、およびCoMP BSの間での信号交換の一例を示す。
【図６】CoMP UEの関連BSにおける動作を表す流れ図の一例である。
【図７】CoMP BSにおける動作を示す流れ図の一例である。
【図８】JT CoMP受信時のCRS干渉を無効にするPDSCHビットレベルミューティングの一例である。
【図９】PDSCHミューティングテーブルの一例を示している。
【図１０】本発明の一実施形態による第一のアプローチのもとで提案された方式のベースバンドTX処理を説明する流れ図の一例である。
【図１１】第一のアプローチのもと、CoMP BS1で提案された方式でダミービットを付加する例を示している。
【図１２】第一のアプローチのもとでの、図４のCoMP UEにおける動作を表す流れ図の一例である。
【図１３】第一のアプローチのもとでの、JT CoMP UEによって受信されるJT CoMPの一例である。
【図１４】第一のアプローチのもとで提案された方式のRX処理を説明する流れ図の一例を示している。
【図１５】第一のアプローチのもとで提案された方式のRX処理の一例を示している。
【図１６】本発明の他の実施形態による第二のアプローチのもとでの、図４のCoMP UEにおける動作を説明する流れ図の一例を示している。
【図１７】第二のアプローチのもとで提案された方式のRX処理を説明する流れ図の一例である。
【図１８】第二のアプローチのもとで提案された方式のRX処理の一例を示している。
【発明を実施するための形態】
【００２２】
以下の発明の詳細な説明において、開示の一部を構成し、本発明がそれにより実施され得る例示的な実施形態が、限定のためではなく例示として示された添付図面に言及する。図面では、同様の数字はいくつかの図面を通じて実質的に同様の構成要素をあらわす。さらに、詳細な説明は、以下で述べるように、また図面に例示されるように、さまざまな例示的な実施形態を与えるが、本発明は、ここで述べられ、例示される実施形態には限定されず、当業者にはわかるであろう、あるいはわかることになるであろう他の実施形態にまで拡大し得る。明細書における「一実施形態」、「本実施形態」あるいは「これらの実施形態」という言及は、その実施形態に関連して述べられる特定の特徴、構成あるいは特性が本発明の少なくとも一つの実施形態に含まれることを意味し、明細書のさまざまな箇所でのこれらの表現は、必ずしもすべてが同一の実施形態に言及しているわけではない。さらに、以下の詳細な説明において、本発明の十分な理解を提供するために、数多くの具体的な詳細が述べられる。しかしながら、当業者には、これらの具体的な詳細が全て本発明を実施するのに必要とされるわけではないことは明らかであろう。他の状況では、本発明を不必要に曖昧にしないように、公知の構造、材料、回路、プロセスおよびインタフェースは詳細には述べられておらず、かつ／あるいはブロック図の形で例示される可能性がある。
【００２３】
さらに、以下の詳細な説明のいくつかの部分は、アルゴリズムおよびコンピュータ内での動作の記号表現で示される。これらのアルゴリズム的な記載および記号表現は、データ処理分野の熟達者がその分野の他のものに彼らの革新の本質をきわめて効果的に伝えるために用いる手段である。アルゴリズムは、所望の最終状態あるいは結果に至る、定義された一連のステップである。本発明では、実行されるステップは、具体的な結果を得るための具体的な量の物理的な操作を必要とする。通常、ただし必ずではないが、これらの量は、記憶され、移動され、結合され、比較され、かつ他の操作をされ得る電気あるいは磁気の信号または命令の形態をとる。主に一般的な利用の理由から、これらの信号をビット、値、要素、シンボル、文字、項、数、あるいは命令などと呼ぶことが好都合であることが時折証明されている。しかしながら、これらの、および同様の用語のいずれも適切な物理量と関連づけられるべきであり、これらの量に適用される好都合なラベルに過ぎないことに留意すべきである。特に別途記載しない限り、以下の議論から明らかなように、記載全体において、「処理」、「コンピュータで計算」、「計算」、「決定」、あるいは「表示」などの用語を用いる議論は、コンピュータシステムのレジスタおよびメモリ内の物理的（電子的）量として表されるデータをコンピュータシステムのメモリまたはレジスタまたは他の情報記憶装置、伝送装置あるいは表示装置内の物理量として同様に表される他のデータに操作、変換するコンピュータシステムまたは他の情報処理装置のアクションおよび処理を含み得ることが理解されている。
【００２４】
本発明は、本明細書での動作を行う装置にも関連する。この装置は、必要とされる目的のために特別に構成されてもよく、一つ以上のコンピュータプログラムによって選択的に起動あるいは再構成される一つ以上の汎用コンピュータを含んでいてもよい。このようなコンピュータプログラムは、例えば、光ディスク、磁気ディスク、読み出し専用メモリ、ランダムアクセスメモリ、ソリッドステート装置、およびドライブのような非過渡的な媒体を含むがそれらに限定されないコンピュータ読み取り可能媒体、あるいは電子的な情報を記憶するのに適した他のタイプの媒体に記憶されてもよい。本明細書で提示されるアルゴリズムおよび表示は、どの特定のコンピュータあるいは他の装置にも固有に関連するものではない。さまざまな汎用システムが、本明細書での教示に従って、プログラムおよびモジュールとともに用いられてもよい。あるいはより専門化された装置を所望の方法ステップを行うように構成することが好都合であるとわかる可能性がある。また本発明は、いずれかの特定のプログラミング言語を参照して記載されることもない。本明細書で述べられる発明の教示を実行するためにさまざまなプログラミング言語を用いてもよいということは理解されるであろう。プログラミング言語の命令は、一つ以上の処理装置、例えば中央処理装置（CPU）、プロセッサ、あるいはコントローラによって実行されてもよい。
【００２５】
本発明の例示的な実施形態は、以下により詳細に述べるように、LTE CoMP（多地点協調）送信においてPDSCHへのダウンリンク参照信号の干渉の取扱装置、方法およびコンピュータプログラムを提供する。本発明は、ジョイント送信（JT）のようなCoMP送信中に生じるセル固有参照信号（CRS）からの干渉を扱う解決策を提案する。ヘテロジニアスネットワークでは、一つ以上のマクロ／ピコBSがセルエッジ上のUEへ協調して送信することができる。送信に協調的な性質があるにもかかわらず、CRS REからの干渉があり、CoMP技術のパフォーマンスを劣化させ得る。CoMP UEについてのCRS干渉を扱う二つのアプローチが述べられている。例は、セルラーネットワークのダウンリンクに関連する。
【００２６】
図１は、ジョイント送信（JT）多地点協調（CoMP）送信動作を含むヘテロジニアスネットワークの一例を示している。ダウンリンク協調送信を行うヘテロジニアスセルラーネットワークにおいて、あるエリアにおいてUEに役立つマクロおよびピコBSが共存している。UE1はマクロBS1に関連付けられているが、マクロBS1およびマクロBS2の両方からCoMPダウンリンクデータを受信する。これらの送信が調整されているとしても、UEは依然としてCoMP BS1およびCoMP BS2からのCRS干渉を受けることがある。例えば、CoMP BS1によって送信されるPDSCH REはCoMP BS2によって送信されるCRS REによって干渉されることがあり、その逆もまたあり得る。
【００２７】
図２は、JT CoMP受信時の、より具体的には図１のBS1およびBS2からのCRS干渉の一例を示している。BS1のRE番号１４など一部のPDSCH REがBS2からのCRS干渉を受け、その逆も生じていることがわかる。本発明は、CoMP BS1、CoMP BS2、およびUE1で実行し、CoMP送信時のCRS干渉を減らすことができる。CoMP BSはマクロBSであってもピコBSでもよい点に留意されたい。
【００２８】
図３は、CoMP UEの関連BS（図１に示すマクロBS1）の一例を表すブロック図である。関連BSは、X2インタフェースを有しており、それを通してCoMP BSは、互いに情報（例えばデータおよび／またはチャネル情報、サービスを受けるUEからのRRM測定報告）を交換する。また関連BSは、三つの構成要素、すなわち（i）ビットレベルPDSCHミューティングパターン（後に図６で示す）を決定し、メモリ内のPDSCHミューティングテーブル（図９で示すテーブルに定義される）を更新するPDSCHミューティングモジュール、（ii）後に図１１で示すTX（送信）処理を行うベースバンドプロセッサ、ならびに（iii）PDSCHミューティングテーブルが記憶されるメモリを有している。
【００２９】
図４はCoMP UE（図１に示すUE 1）の一例を示すブロック図である。図４では、CoMP UEは、四つの構成要素および一つの任意選択の構成要素、すなわち（i）RRM測定が行われ、関連BSに報告され、全てのCoMP BSと共有されるRRMモジュール、（ii）参照信号からの支配的な干渉を相殺できる任意選択のCRS／CSI-RS干渉キャンセルモジュール、（iii）関連BSからビットレベルPDSCHミューティングパターンを受信して、メモリ内のPDSCHミューティングテーブルを更新するPDSCHパンクチャリングモジュール、（iv）図７に示されるようなRX（受信）処理を行うベースバンドプロセッサ、ならびに（v）PDSCHミューティングテーブルが記憶されるメモリを有するコントローラを備えている。
【００３０】
（第一のアプローチ）
図５は、CoMP UE、関連BS（すなわちBS1）、およびCoMP BSの間での信号交換の一例を示している。関連BSは、CoMP BSであってもなくてもよい点に留意されたい。データ送信の最初に、UEは、例えばオンラインhttp://www.3gpp.orcilftp/Specs/html-info/36331.htm (Ref. 1)から入手可能で、3GPP TS36.331 v. 10.4.0に定義されているようなRRM測定を行い、関連BSに、その周囲にあるBSそれぞれについての受信RS強度を含む測定レポートを送る。このRRM測定レポートと隣接BSからのCRS RE位置の情報とに基づいて、関連BSは、（i）CoMP BSからの強いCRS干渉を受けるPDSCH REと、（ii）CRS干渉によって毀損される可能性が低い、特定されたPDSCH REにおけるビットの数とからなるビットレベルPDSCHミューティングパターンを特定する。その後、関連BSは、受信（RX）処理のためにCoMP UEにビットレベルPDSCHミューティングパターンを送る。関連BSは、UEからの受領通知を受けた後、CoMP BSにビットレベルPDSCHミューティングパターンを知らせる。CoMP BSは関連BSに受領通知で応じ、提案される送信（TX）処理を行うことでデータ送信を開始する。UE側では、それに応じて、データ受信用に、提案される受信処理が行われる。
【００３１】
図６は、CoMP UEの関連BS（すなわちBS1）における動作を表す流れ図の一例である。BSのX2インタフェースモジュールは、隣接するCoMP BSからCRS RE位置の情報を受け取り、このような情報をPDSCHミューティングモジュールに入力する（例えば、どの程度の干渉があるか、どのBS信号が受信され、これらの信号がどのくらい強いか）。X2インタフェースモジュールの入力およびUEからのRRMレポートに基づいて、PDSCHミューティングモジュールはビットレベルPDSCHミューティングパターンを決定し、CoMP UEおよびCoMP BSに情報を送る。
【００３２】
図７は、CoMP BS（すなわち本例ではBS1およびBS2）の動作を表す流れ図の一例である。CoMP BSのX2インタフェースモジュールは、CoMP UEの関連BS（本例ではBS1）からビットレベルPDSCHミューティングパターンを受け取る。X2インタフェースモジュールの入力に基づいて、CoMP BSはメモリ内のPDSCHミューティングテーブルを更新する。メモリ内のPDSCHミューティングテーブルは、ベースバンドプロセッサによって送信処理に用いられる。
【００３３】
（第一のアプローチのもとでの送信処理）
図８は、JT CoMP受信時のCRS干渉を無効にするためのPDSCHビットレベルミューティングの一例である。これは、どのようにビットレベルPDSCHミューティングパターンを決定し、CoMP BSについてのPDSCHミューティングテーブルを更新するかを示すために用いられる。図１に示すヘテロジニアスネットワークにおけるJT CoMP送信の例を考える。ここでCoMP UE1は、CoMP BS1とCoMP BS2とから同時にサブフレームを受信する。図２は、二つのBSからの物理リソースブロック（PRB）を、それぞれのCRS REとともに含む、送信サブフレームを示す。任意のCoMP BSからの全PRBは、CRS REの同一位置を有することに留意されたい。CoMP BSからのCRS REの位置、およびCoMP UEからのRRMレポート（全CoMP BSの信号強度を示している）を受信した後、CoMP UEの関連BSは、CoMP BS内からの強いCRS干渉送信を受けているRE、すなわち図８にクロスハッチングで示されるREを特定する。その後、PDSCHミューティングモジュールがメモリ内のPDSCHミューティングテーブルを更新する。
【００３４】
図９はPDSCHミューティングテーブルの一例を示している。PDSCHミューティングテーブルは、REミューティングパターンインデックスの列、ミュートREの列、ビットマップの列、および状態の列を有している。「ミュートRE」の列はあらかじめ定められており、固定である。PDSCHミューティングモジュールは、CRS干渉が強い最大数の特定されたREをビットレベル「ミュートRE」がカバーするようなREミューティングパターンを選択し、その状態を「アクティブ」に設定する。一つのREミューティングパターンが選ばれて「アクティブ」になると、他のREミューティングパターンは自動的に「待機」に設定されることに留意されたい。それぞれのPDSCH REがK個の情報ビットを有するものと仮定する。このとき、関連BSは、各REにおけるCRS干渉が強いビットレベルミューティングの位置を決定する。この位置は、ミューティングを示す「１」を有する、すなわち特定のビットがダミービットとして設定されるKビットのビットマップによって表現できる。例えば、００１１は、ミュートREにおいて、K=4のときに、最後２ビットがミュートされる（ダミービットとして設定される）ことを意味する。一方関連BSは、CoMP BSだけでなくCoMP UEにもビットレベルPDSCHミューティングパターン、すなわちPDSCHミューティングパターンインデックスとそれに対応するビットマップとを知らせる。
【００３５】
PDSCHミューティングモジュールは、実際には、あるREにおいてデータ送信が生じないその特定RE全体のREレベルミューティングの代わりにビットのビットレベルミューティングを行うPDSCHビットレベルミューティングモジュールである。その機能を特徴づける他の方法は、CRS干渉に影響されない、あるいは実質的に影響されない通常のREに割り当てられるビットの数よりも少ない数のビットを「ミュートRE」に持たせることにある。PDSCHビットレベルミューティングモジュールは、REビット割当モジュールとも呼ばれる。
【００３６】
図１０は、本発明の一実施形態による第一のアプローチのもとで提案される方式におけるベースバンドTX処理を説明する流れ図の一例である。図１０は、CoMP UEへの送信について、各CoMP BSにおいて行われる送信（TX）ベースバンド処理を示している。トランスポートブロックの情報ビット（例えばLビット）は、オンラインhttp://www.3qpp.orq/ftp/Specs/html-info/36212.11m (Ref. 2）から入手可能で、3GPP TS36.212 v. 10.4.0に規定されているターボエンコーダ（例えば3L + 12ビット）を最初に通過する。そしてベースバンドプロセッサはレートマッチングを行い（Eビットは３L + 12ビットよりも少ない）、メモリ内のPDSCHミューティングテーブルにおけるアクティブのPDSCHミューティングパターンに従って、符号化されたビットにダミービットを付加する。最終的に、ビット列は変調されてPDSCH REにマップされる。各動作の詳細を以下に説明する。
【００３７】
ターボ符号化：この動作はRef. 2に規定されている。
【００３８】
レートマッチング：例えばRef. 2において定義されているサーキュラバッファレートマッチング（CBRM）が用いられ、レートマッチング後のビットの数がK(N-M)-MDになるように構成される。ここでNはUEに割り当てられるPDSCH REの数であり、Mはビットレベルミュートが行われるREの数であり、Kは変調次数（すなわち、各PDSCH REに含まれるビットの数）であり、DはアクティブなPDSCHミューティングパターンのビットマップにおける「１」の数である。通常のREに割り当てられるビットの数は、根本となる変調次数と同じである。
【００３９】
ダミービットの付加：D個のダミービットがCRS干渉のあるPDSCH REそれぞれに付加される。
【００４０】
変調：変調は例えばRef. 2に規定されており、Kは、２（QPSK）、４（16QAM）および６（64QAM）からの値をとる。
【００４１】
PDSCHリソースマッピング：変調されたシンボルは、各PDSCH REが一つの変調されたシンボルを含むようにPDSCH REにマップされる。
【００４２】
図１１は、第一のアプローチのもとでの、CoMP BS1での提案方式におけるダミービットの付加の一例を示している。これはTX処理に関連する。ある一つのリソースブロックがUEに割り当てられるが、UEでは、図１１に示すように、１２のPDSCH領域のREが強いCRS干渉を受けていると仮定する。さらに16QAMが変調に用いられ、CRS干渉のあるそれぞれのREに２ダミービットが付加されると仮定する。この場合、我々はN＝１２０、M＝１２、Ｋ＝４、およびＤ＝２を用いる。レートマッチング後のビットの合計数は、K(N-M)-MD=408である。図１１に示すように、レートマッチング後のビット列が00111101110110101110011101110111110001...であると仮定する。ダミービットを付加した後、この列は、変調されたシンボルが最初に横線に沿って、続いて縦線に沿ってPDSCH REにマッピングされるという仮定に基づき、0011 1100 0111 0110 1000 1110 0111 0111 0100 1111 0001 ...になる。
【００４３】
（第一のアプローチのもとでの受信処理）
図１２は、第一のアプローチのもとでの図４のCoMP UEにおける動作を説明する流れ図の一例である。UEは、RRMモジュールを用いてRRM測定を行い、それに関連BSに報告する。UEはCRS干渉キャンセルモジュールをサポートしてもよく、その場合には、CoMP BSによって送信されるCRS REと一致するPDSCH RE上でCRS干渉のキャンセルを行う。次に、ビットレベルPDSCHミューティングパターンを受信した後、PDSCHパンクチャリングモジュールは、対応するPDSCHミューティングパターンをアクティブに設定してビットマップを更新することによって、メモリ内のPDSCHミューティングテーブルを更新する。UEについてのPDSCHミューティングテーブルは、その関連BSについてのものと同じフォーマットを有しており、「PDSCHミューティングパターンインデックス」列およびビットレベル「ミュートRE」列もまた同じである。メモリ内のPDSCHミューティングテーブルはベースバンドプロセッサによってRX処理に用いられる。
【００４４】
図１３は、第一のアプローチのもとでJT CoMP UEによって受信されるJT CoMPの一例である。CoMP BS（図８に示す）によって送信されるJT CoMPサブフレームは同時に送信され、その結果、CoMP UEは図１３に示すOTA結合サブフレームを受信する。CRS干渉によって破損されるPDSCH REの一部は図１３に示すものと同じ情報データを含んでいる。任意の例において、CRS干渉によって破損されたPDSCH RE１４が二回繰り返され、同様にPDSCH RE１６、１８、および２０が二回繰り返される。従って、繰り返されたPDSCH REからのビットのビット対数尤度比（LLR）は、これらのPDSCH REについての全体のビットLLRを得るように一緒に加算されなければならない。
【００４５】
図１４は、第一のアプローチのもとでの提案方式におけるRX処理を説明する流れ図の一例である。より具体的には、RX処理はCoMP REについてのRXベースバンド処理であり、TX処理の逆の動作である。任意選択のCRS干渉キャンセルを行った後、受信されたPDSCH REは変調シンボルストリームにデマップされ、その後ビット列に復調される。ダミービットは、メモリ内に記憶されているPDSCHミューティングテーブル内のアクティブPDSCHミューティングパターンに従って、ビット列から除去される。最後にレートデマッチングとターボ復号とが行われる。復調の出力は、それぞれのビットの対数尤度比（LLR）である。ダミービットを除去することによって、ダミービットのLLRの破棄を意味する。先に述べたように、繰り返しPDSCH REのビットLLRが合計され、これらのPDSCH REについての全体のビットLLRが得られる。
【００４６】
図１５は、第一にアプローチのもとでの提案方式におけるRX処理の一例を示している。図１０に示すTX処理がCoMP BSにおいて行われると仮定する。Lkがｋ番目のビットのLLRを表すものとする。破棄されるダミービットに対応するLLRは、L55、L56、L63、L64、L71、L79などである。第一のアプローチは、CRS干渉のあるPDSCH REにおいて同じ数のダミービットを常にもつことに留意されたい。ダミービットを抜いた後のLLR列は、L1、L2、・・・L53、L54、L57、L58などとなる。
【００４７】
（第二のアプローチ）
第二のアプローチは、UE側でのみ実行する必要がある。このアプローチはCoMP BSでのPDSCHミューティングを仮定しない。図１６は、本発明の他の実施形態による第二のアプローチのもとでの図４のCoMP UEにおける動作を説明する流れ図の一例である。UEはRRMモジュールを用いてRRM測定を行うとともに、干渉情報を用いて、他のBSから生じるCRS干渉を受けているPDSCH REについてのビットレベルPDSCHパンクチャリングパターンを決定する。任意選択のCRS干渉キャンセルを行った後、PDSCHパンクチャリングモジュールは、メモリ内のPDSCHパンクチャリングパターンを更新する。メモリ内のPDSCHパンクチャリングパターンは、ベースバンドプロセッサによってRX処理に用いられる。
【００４８】
図１７は、第二のアプローチのもとでの提案方式におけるRX処理を説明する流れ図の一例である。より具体的には、RX処理はCoMP UEについてのRXベースバンド処理である。任意選択のCRSキャンセルを行った後、受信されたPDSCH REは、変調されたシンボルストリームにデマップされ、その後これはビット列に復調される。パンクチャされたビットは、メモリ内に記憶されているPDSCHパンクチャリングテーブル内のアクティブPDSCHパンクチャリングパターンに従って、ビット列から除去される。最後に、レートデマッチングとターボ復号とが行われる。ここで、復調の出力は各ビットの対数尤度比（LLR）である。パンクチャされたビットを除去することによって、パンクチャビットのLLRの破棄を意味する。
【００４９】
図１８は、第二のアプローチのもとでの提案方式におけるRX処理の一例を示している。Lkはｋ番目のビットのLLRを表すものとする。CRS干渉のあるPDSCH REにおいて「等しい」数のビットLLRを破棄する第一のアプローチとは異なり、第二のアプローチは、CRS干渉のあるさまざまなPDSCH REから同数のまたは同数ではない数のビットLLRを破棄することができるPDSCHパンクチャリングパターンを用いる。図１８に示す例では、３個のビットLLRがPDSCH RE番号１４から破棄され、１個のビットLLRがPDSCH RE番号２０から破棄される。パンクチャされたビットのLLRは、L54、L55、L56、L80などである。ターボデコーダに与えられるLLR列は、L1、L2、・・・L53、L57、L58などである。
【００５０】
上では、CoMP送信時にCoMP BSから生じるCRS干渉を減らす二つのアプローチを述べた。これらのアプローチは、LTE-A CoMP送信で用いて、全体のシステムパフォーマンスを向上させることができる。
【００５１】
本発明を実施するコンピュータおよび記憶システムは、上述した発明を実施する上で用いられるモジュール、プログラムおよびデータ構造を記憶し、読み出すことができる公知のI/O装置（例えばCDドライブ、DVDドライブ、フレキシブルディスクドライブ、ハードドライブなど）も有することができる。これらのモジュール、プログラム、およびデータ構造は、このようなコンピュータ読み取り可能な媒体上で符号化できる。例えば、本発明のデータ構造は、本発明で用いられるプログラムが備えられている一つ以上のコンピュータ読み取り可能媒体とは独立してコンピュータ読み取り可能媒体に記憶できる。システムの構成要素は、デジタルデータ通信、例えば通信ネットワークのいかなる形態あるいは媒体によっても相互に接続できる。通信ネットワークの例には、ローカルエリアネットワーク、例えばインターネットのようなワイドエリアネットワーク、ワイヤレスネットワーク、ストレージエリアネットワークなどが含まれる。
【００５２】
説明では、本発明の十分な理解を提供するための説明の目的で、多数の詳細が述べられている。しかしながら、本発明を実施するためにこれらの具体的な詳細の全てが必要というわけではないことは当業者には明らかであろう。また本発明は、通常はフローチャート、流れ図、構造図、あるいはブロック図として図示されるプロセスとして説明してもよい点に留意されたい。フローチャートは、連続的なプロセスとして動作を記載することがあるが、動作の多くは並行して、あるいは同時期に行うことができる。また、動作の順序は並び替えてもよい。
【００５３】
この技術で知られているように、上述した動作はハードウェア、ソフトウェア、またはソフトウェアとハードウェアとの何らかの組み合わせによって行うことができる。発明の実施形態のさまざまな態様は、回路および論理素子（ハードウェア）を用いて実施されてもよく、他の態様は、プロセッサで実行した場合にはプロセッサに本発明の実施形態を実施させる方法を実行させるであろう、機械読み取り可能媒体上に記憶された命令（ソフトウェア）を用いて実施してもよい。さらに、発明のいくつかの実施形態は、ハードウェアにおいてのみ実行されてもよく、他の実施形態はソフトウェアにおいてのみ実行されてもよい。また、説明されたさまざまな機能は、単一のユニットで実行することや、幾通りもの方法で多くの構成要素に分散させることもできる。ソフトウェアで実行する場合には、コンピュータ読み取り可能媒体上に記憶された命令に基づいて、汎用コンピュータなどのプロセッサで方法を実行してもよい。所望される場合、命令を、圧縮された、および／または暗号化されたフォーマットで媒体上に記憶することもできる。
【００５４】
上記の説明から、本発明は、LTE CoMP送信におけるPDSCHへのダウンリンク参照信号干渉を扱うための方法、装置およびコンピュータ読み取り可能な媒体に記憶されるプログラムを提供することが明らかになるであろう。加えて、具体的な実施形態が本明細書で例示され、述べられたが、当業者は、同じ目的を達成するために計算されるどのような構成も、開示された具体的な実施形態に置き換えてもよいことを理解している。この開示は、本発明のいかなる、かつあらゆる適合や変更をもカバーすることを意図しており、以下の請求項で用いられる用語は、明細書に開示された具体的な実施形態に発明を限定するものと解釈されるべきではないことが理解されるべきである。むしろ発明の範囲は、確立されたクレーム解釈論に従って解釈されるべき以下の請求項、およびかかる請求項の権利が認められる等価事項の全範囲によってのみ決定すべきである。
【図１】
2014107868.tif 000003
【図２】
2014107868.tif 000004
【図３】
2014107868.tif 000005
【図４】
2014107868.tif 000006
【図５】
2014107868.tif 000007
【図６】
2014107868.tif 000008
【図７】
2014107868.tif 000009
【図８】
2014107868.tif 000010
【図９】
2014107868.tif 000011
【図１０】
2014107868.tif 000012
【図１１】
2014107868.tif 000013
【図１２】
2014107868.tif 000014
【図１３】
2014107868.tif 000015
【図１４】
2014107868.tif 000016
【図１５】
2014107868.tif 000017
【図１６】
2014107868.tif 000018
【図１７】
2014107868.tif 000019
【図１８】
2014107868.tif 000020